(57)【特許請求の範囲】
【請求項１】
入力部と、出力部と、入力部から出力部に流れる電流によって磁束を発生する一次コイル及びこの一次コイルで発生した磁束に応じて起電力を発生する二次コイルからなるコイルと、前記一次コイルで発生した磁束によって回転する回転円板と、この回転円板とともに回転する計数板を有するカウンタと、この計数板の回転数を伝送可能な信号に変換して送信する機能を有するセンサと、センサから送信されてきた信号を所定のデータに変換して格納すると共に無線で伝送されてきたデータ送信要求に応じて格納しているデータを無線で返信する機能を有する送受信装置と、を備えた積算電力量計であって、上記二次コイルを送受信装置に接続し、二次コイルで発生した起電力を送受信装置に電源として供給するように構成してなる積算電力量計。
【請求項２】
入力部と出力部とを備えた接続部を設けると共に回転円板を設け、この回転円板の一側に電圧コイルを取り付け、回転円板の他側には電流コイルを取り付け、入力部を通して供給された電気が出力部を通して流れる過程で電圧コイルと電流コイルより磁束が誘起されて回転円板を回転させ、この回転円板の回転数をカウンタで計数測定する積算電力量計であって、
データの貯蔵機能及び無線送受信機能を備えたＲＦモジュールを設置し、カウンタの一側面にはスイッチセンサを取り付け、スイッチセンサと本体下部の接続部の両側に配設した電話線検針用の接続端子を連結すると共に、この接続端子にＲＦモジュールの連結端子も一緒に連結してスイッチセンサの測定値がＲＦモジュールに伝わるようにすると共に、前記電圧コイルは一次コイルと二次コイルにより捲かれた二重コイルで形成し、電圧コイルの二次コイルから発生した微小電圧を電源ケーブルを介してＲＦモジュールの電源に供給するように構成してなる積算電力量計。
【発明の詳細な説明】
【０００１】
【発明の属する技術分野】
本発明は、消費電力量を計測及び積算し、使用した電力量を表示或いは伝送し得る積算電力量計に関する。
【０００２】
【従来の技術】
従来、主に一般家庭で使用されている積算電力量計は、入力部より電気を入力し、積算電力量計内の電気回線中にＰコイル(電圧コイル)及びＣコイル（電流コイル）を配置し、ＰコイルとＣコイルより発生した磁束により回転円板を回転させ、この回転円板の回転数をアナログ式カウンタの計数装置を利用して計測し、計測した電力量を外部にアナログ表示するものであった。
【０００３】
【発明が解決しようとする課題】
したがって、積算電力量計を検針するためには、検針員が各家庭を訪問して、積算電力量計の位置を確認し、計数装置の表示を直接目で検針しなければならなかった。また、多くの家庭の積算電力量計を検針するには多くの人手と時間がかかるという問題があった。
【０００４】
【課題を解決するための手段】
本発明は、従来の問題を解決するために、消費電力量を計測し、この計測量を伝送可能な信号に変換して送信する機能を有する計量装置と、計量装置から送信されてきた信号を所定のデータに変換して格納すると共に、無線で送られてきたデータ送信要求に応じて格納データを無線で返信する機能を有する送受信装置とを備えた積算電力量計を構成することとした。
【０００５】
かかる構成を備えた積算電力量計によれば、計量装置が計測した消費電力量を伝送可能な信号に変換して送受信装置に送信し、送受信装置では、センサから送られてきた信号を所定のデータに変換して格納すると共にデータ送信要求待ちの状態となる。この状態で、例えば、無線を通じてデータ送信要求及びデータ信号等を送受信する機能を備えた携帯用無線検針器を用いて、積算電力量計に対してデータ送信要求を送信すれば、このデータ送信要求をを送受信装置が受信し、当該携帯用無線検針器に対して格納データつまり電力使用量のデータを返信してくる。よって、離れた場所からでも積算電力量計が測定した積算消費電力量を調べることができる。つまり、上記構成を備えた積算電力量計と、無線を通じてデータ送信要求及びデータ信号等を送受信する機能を備えた無線検針器とから、新たな積算電力量計測システムを構成することができる。
【０００６】
上記構成において、  計量装置と送受信装置とを、電話線接続可能な検針用接続端子を介して接続し、送受信装置に、電話線を介してデータ送信要求を受信すると共にこれに応じて電話線を介して格納データを返信する機能を付加することができる。
このように構成すれば、電話線を介してデータ送信要求及び電力使用量データの送受信を行うことができるようにもなり、各家庭を一々訪問しなくても各家庭の電力使用量を調べることができる。
なお、上記構成における「計量装置」は、例えば消費電力量に応じて回転する計数板を備えたカウンタと、カウンタの計数板の回転数を数値化し、数値化した計測数を伝送可能な信号（例えばパルス信号）に変換して送信する機能を備えたセンサとから構成することができる。
【０００７】
本発明はまた、入力部と、出力部と、入力部から出力部に流れる電流によって磁束を発生する一次コイル及びこの一次コイルで発生した磁束に応じて起電力を発生する二次コイルからなるコイルと、前記一次コイルで発生した磁束によって回転する回転円板と、この回転円板とともに回転する計数板を有するカウンタと、この計数板の回転数を伝送可能な信号に変換して送信する機能を有するセンサと、センサから送信されてきた信号を所定のデータに変換して格納すると共に無線で伝送されてきたデータ送信要求に応じて格納しているデータを無線で返信する機能を有する送受信装置と、を備え、更に上記二次コイルを送受信装置に接続し、二次コイルで発生した起電力を送受信装置に電源として供給し得る積算電力量計を提供する。
上記構成の如き積算電力量計であれば、入力部から入力される電流によって送受信装置の電源を確保することができるから、送受信装置のために別個の電源供給装置を設ける必要がない。
【０００８】
以上の構成を備えた積算電力量計は、より具体的には、入力部と出力部とを備えた接続部を設けると共に回転円板を設け、この回転円板の一側にＰコイル（電圧コイル）を取り付け、回転円板の他側にはＣコイル（電流コイル）を取り付け、入力部を通して供給された電気が出力部を通して流れる過程でＰコイルとＣコイルより磁束が誘起されて回転円板を回転させて、この回転円板の回転数をカウンタで計数測定する機械式積算電力量計において、データの貯蔵機能及び無線送受信機能を備えたＲＦモジュール（上記の送受信装置に対応）を設置し、カウンタの一側面にはスイッチセンサを取リ付け、スイッチセンサと本体下部の接続部の両側に配設した電話線検針用の接続端子を連結すると共に、この接続端子にＲＦモジュールの連結端子も一緒に連結してスイッチセンサの測定値がＲＦモジュールに伝わるように構成する。更に、前記Ｐコイルは一次コイルと二次コイルにより捲かれた二重コイルで形成し、Ｐコイルの二次コイルから発生した微小電圧（上記の起電力）を電源ケーブルを介してＲＦモジュールの電源に供給させるように積算電力量計を構成することができる。
【０００９】
【発明の実施の形態】
本発明の好適な一実施例を図面を参照して説明する。
【００１０】
図１は、積算電力量計の分解斜視図、図２は、積算電力量計の正面図、図３は、積算電力量計の回路配置図、図４は、Ｐコイルの平面図、図５は、専用の携帯用無線検針器の正面図である。
【００１１】
本発明の積算電力量計は、図１〜４に示すとおり、本体１０の下部に入力部２２と出力部２４とを備えた接続部２０を設け、本体１０の内部略中央には回転円板３０を配設し、この回転円板３０の上方部にはＰコイル（電流コイル）４０を配設し、回転円板３０の下部にはＣコイル（電圧コイル）５０を配設してある。
【００１２】
本体１０内の回転円板３０の近接上部には、回転円板３０とともに回転する計数板を備えたアナログ式カウンタ６０を配設し、このアナログ式カウンタ６０の側面にはスイッチセンサ８０を配設してある。また、本体１０の更に上部には、データ格納機能及び無線送受信機能を備えたＲＦモジュール７０を配設してある。
さらに、接続部２０の左右両側にそれぞれ電話線検針用の接続端子２６、２６を設け、各接続端子２６には、上記スイッチセンサ８０を接続すると共にＲＦモジュール７０の連結端子７２を接続してある。
【００１３】
ここで、Ｐコイル４０は、一次コイル４０ａと二次コイル４０ｂとから捲かれた二重コイルを形成し、これら二つのコイル４０ａ、４０ｂを絶縁体４６で囲んで構成してあり、当該一次コイル４０ａは、その両端部を入力部２２に接続し、入力部２２からの電流によって回転円板３０を所定方向に回転させる向きに磁束を発生するようにしてある。他方、二次コイル４０ｂは、一次コイル４０ａで生じた磁束によって起電力（微小電圧）を発生し、その両端部を電源ケーブル４２を介してＲＦモジュール７０に接続することによって、微小電圧を電源ケーブル４２を通じてＲＦモジュール７０に電源として供給し得るようにしてある。
【００１４】
アナログ式カウンタ６０は、回転円板３０とともに回転する計数板を備え、この計数板の側面には磁石を付着してある。
スイッチセンサ８０は、磁石を感知する機能を備え、アナログ式カウンタ６０の計数板が一回転する毎に磁石を感知し、当該計数板の回転数をパルス信号に変換し、送信する機能を備えている。
【００１５】
ＲＦモジュール７０は、計数値データを格納すると共に、データ送信要求信号を受信すると、当該データ送信要求信号に応じて格納している計数値データを無線で返信する機能を備えている。
【００１６】
上記構成を備えた本発明の積算電力量計は、例えば家庭内で電気が使用されている場合、入力部２２より電気が供給され、入力部２２より入力した電気（電流）は入力線４４を通じてＰコイル４０及びＣコイル５０を経て出力部２４へ流れる。Ｐコイル４０及びＣコイル５０を電気が流れる過程で、Ｐコイル４０の一次コイル４０ａとＣコイル５０において磁束が発生し、この磁束により回転円板３０は所定の方向に回転する。この回転円板３０の回転数は、アナログ式カウンタ６０により計数測定され、この計数値は、スイッチセンサ８０によってパルス信号に変換され、電話線検針用の接続端子２６、２６に伝送される。
この接続端子２６にはＲＦモジュール７０の連結端子７２が接続しているから、スイッチセンサ８０から送られてきたパルス信号は、連結端子７２を通じてＲＦモジュール７０に伝送され、ＲＦモジュール７０は、このパルス信号を処理して計数値データとして格納する。
【００１７】
上記のようにＲＦモジュール７０に計数値データを格納した状態で、図５に示す如き携帯用無線検針器９０を用いて、本発明の積算電力量計の近くでデータ送信を要求する信号を送ると、この信号をＲＦモジュール７０が受けて、格納している計数値データを無線によって当該携帯用無線検針器９０に返信する。これを受信した携帯用無線検針器９０は、この信号を電力量計の計数値、つまり電力使用量として表示することができる。
なお、上記の携帯用無線検針器９０は、無線を通じてデータ送信要求を送信し、無線を通じてデータ信号を受信し、受信したデータ信号を電力使用量として表示する機能を備えているものであれば、携帯及び構造を特に限定するものではない。
【００１８】
従来は、電力量計を検針する検針員が各家庭を訪問し、積算電力量計のアナログ式カウンタ６０を直接目で確認して検針していたが、本発明の積算電力量計によれば、携帯無線検針器９０を用いることにより直接目で確認することなく遠隔から電気の使用量を検針することができる。
【００１９】
また、電話線検針用接続端子２６すなわち電話線接続可能な検針用接続端子に電話線を接続すれば、スイッチセンサ８０からのパルス信号を電話線を介してＲＦモジュール７０に送信することができ、ＲＦモジュール７０からは電話線を介して格納データの送信を受けることができるから、遠距離からでも電話線を経由して各家庭の使用電力量を検針することができる。
【００２０】
他方、本発明の積算電力量計では、ＲＦモジュール７０の電源をＰコイル４０から確保することができる。すなわち、Ｐコイル４０の二次コイル４０ｂは、一次コイル４０ａで生じた磁束によって微小電圧（起電力）を発生し、この微小電圧を電源ケーブル４２を通じてＲＦモジュール７０に供給することができるから、別個に電源供給装置を設けなくてもＲＦモジュール７０を作動させることができる。
【００２１】
なお、一次コイルと二次コイルの位置は特に限定するものではなく、一次コイルの磁束の影響を受ける場所に二次コイルを設置すればよく、効率よく電流を発生させるためには、上側、または、下側が好ましい。
【００２２】
【発明の効果】
上記のとおり、本発明は、携帯用無線検針器を利用した遠隔検針ができることになり、電力使用量の検針作業をより簡単に行うことができる。更に、電話線接続可能な検針用接続端子を利用すれば、電話回線を利用してセンター１箇所から各家庭の遠隔検針を行うこともできる。しかも、単純な構造であるから、生産が容易であり、値段も安価に生産できるから、商品性に優れている。
また、別の電源供給装置なしでも、送受信装置（ＲＦモジュール）の電源を供給できるので、電源切れの心配をすることなく使用できるといった利点も備えている。
【図面の簡単な説明】
【図１】本発明の一実施例の分解斜視図である。
【図２】本発明の一実施例の正面図である。
【図３】本発明の一実施例の回路配置図である。
【図４】図１のＰコイルの平面図である。
【図５】本発明の一実施例の携帯用無線検針器の正面図である。
【符号の説明】
１０    本体
２０    接続部
２２    入力部
２４    出力部
２６    接続端子
３０    回転円板
４０    Ｐコイル
４０ａ  一次コイル
４０ｂ  二次コイル
４２    電源ケーブル
４４    入力線
５０    Ｃコイル
６０    カウンタ
７０    ＲＦモジュール
７２    連結端子
８０    センサ
９０    携帯用無線検針器
【図１】
0003547085.tif 000002
【図２】
0003547085.tif 000003
【図３】
0003547085.tif 000004
【図４】
0003547085.tif 000005
【図５】
0003547085.tif 000006